(57)【要約】【課題】遮断桿を一人で短時間に補修することができる遮断桿用補修具を提供する。【解決手段】チューブ４をゴム状弾性体から形成して、コア管７に拡径状態で装着する。チューブ４は、半径方向に収縮性を有する。遮断桿１の破損部２の外周側を断面略Ｃ形の補強材３で覆う。補強材３の外周側にコア管７を配置する。コア管７をその端部から螺旋状に切りほぐす。チューブ４が縮径して補強材３を遮断桿１の外周面に押圧固定する。遮断桿１の破損部２付近が補強される。【選択図】　図４
2004136850.tif 000002
【特許請求の範囲】
【請求項１】
遮断桿の破損部の外周側を覆う補強材と、該補強材を遮断桿の外周面に押圧固定する固定手段とを備え、前記固定手段は、半径方向に収縮性を有するゴム状弾性体からなるチューブとされたことを特徴とする遮断桿用補修具。
【請求項２】
前記チューブは、前記補強材の外周側に配置されるコア管に拡径状態で装着され、前記コア管を引き抜くことにより、前記チューブを縮径させて前記補強材を遮断桿の外周面に押圧固定するようにしたことを特徴とする請求項１記載の遮断桿用補修具。
【請求項３】
前記コア管は、その端部から螺旋状に切りほぐし可能とされたことを特徴とする請求項２記載の遮断桿用補修具。
【請求項４】
前記遮断桿は、大径の桿材の先端部に小径の桿材の基端部を内嵌することにより、径の異なる桿材を太い方から順に継ぎ足してなり、前記補強材は、破損した桿材よりも１ランク以上大径の桿材と同じ径に形成されたことを特徴とする請求項１、２又は３記載の遮断桿用補修具。
【請求項５】
前記補強材は、半径方向に収縮可能なように、断面略Ｃ形とされたことを特徴とする請求項１〜４のいずれかに記載の遮断桿用補修具。
【請求項６】
遮断桿の桿材の破損部を外周側から覆うように粘着テープ等で補強材を仮止めして、該補強材の外周側にコア管を配置し、該コア管をその端部から螺旋状に切りほぐして、その外周側に拡径状態で装着されたゴム状弾性体からなるチューブを縮径させ、該チューブにより前記補強材を遮断桿の外周面に押圧固定することを特徴とする遮断桿の補修方法。
【発明の詳細な説明】
【０００１】
【発明の属する技術分野】
本発明は、踏切等の遮断桿が破損したときに応急補修するための遮断桿用補修具に関するものである。
【０００２】
【従来の技術】
一般に、踏切等の遮断桿は、持ち運び可能な長さで径の異なる桿材を太い方から順に継ぎ足してなり、大径の桿材の先端部に小径の桿材の基端部が内嵌固定された構造となっている。この遮断桿が車両の衝突等により破損したとき、破損した桿材をその両端に嵌め込まれた桿材から引き抜いて、新たな桿材に取り替えることにより補修していた。
【０００３】
【発明が解決しようとする課題】
ところが、桿材同士が互いに強固に嵌め合わされているため、補修時の桿材の引き抜き作業は、複数の作業員が専用の道具を用いて行う必要があり、遮断桿の補修に要する時間が長くなる。また、破損した桿材の径が不明なときには、現地に複数種類の桿材を持っていく必要があるが、複数種類のものをセットにすることにより、桿材が嵩張ると共に重くなって持ち運びにくくなる。
【０００４】
本発明は、遮断桿を一人で短時間に補修することができ、持ち運びが簡単な遮断桿用補修具を提供することを目的とする。
【０００５】
【課題を解決するための手段】
上記課題に鑑み、本発明は、遮断桿の破損部の外周側を覆う補強材と、この補強材を遮断桿の外周面に押圧固定する固定手段とを備え、その固定手段を半径方向に収縮性を有するゴム状弾性体からなるチューブとした遮断桿用補修具を提供するものである。
【０００６】
この構成によれば、チューブの半径方向への収縮性を利用して、補強材をむらなく均一な力で遮断桿の外周面に押圧固定することができる。これにより、桿材の破損部付近を確実に補強できるので、桿材の引き抜きが不要になり、遮断桿の補修を簡単にすることができる。また、チューブをカッターナイフ等で切り裂くことにより、簡単に解体することができる。
【０００７】
補強材は、桿材の破損部付近だけを補強するので、その長さを短くすることができ、桿材の各径に対応する複数の補強材をセットにしても、その持ち運びを簡単にすることができる。また、チューブをゴム状弾性体で形成するため、その伸縮性により、一つのチューブで複数種類の補強材に対応させることができ、その持ち運びが簡単になる。
【０００８】
補強材の外周側に配置するコア管に、チューブを拡径状態で装着して、コア管を引き抜くことにより、チューブを縮径させて補強材を遮断桿の外周面に押圧固定するようにする。そうすれば、半径方向に収縮性を有するチューブの桿材への装着を簡単にすることができる。さらに、コア管をその端部から螺旋状に切りほぐし可能とすれば、チューブからコア管を引き抜くために大きな力を加えなくてもよく、コア管の引き抜きを簡単にすることができる。
【０００９】
遮断桿は、１本の桿材で構成したものであってもよいが、大径の桿材の先端部に小径の桿材の基端部を内嵌することにより、径の異なる桿材を太い方から順に継ぎ足した構造としてもよい。この場合、補強材を破損した桿材よりも１ランク以上大径の桿材と同じ径に形成するようにすれば、桿材の廃材利用などにより、補強材の形成を簡単にすることができる。
【００１０】
補強材は、その内径が桿材の外径よりも大きいので桿材の外周側に容易に装着でき、特に、破損した桿材よりも１ランク大径のものは、桿材との隙間が小さく、チューブで本止めする前の仮止めが容易である。この補強材は、二つ割りのもののように、半径方向に収縮可能であればよいが、断面略Ｃ形とすれば、一つの補強材で桿材の全周を補強することができ、その装着が簡単である。
【００１１】
また、本発明は、上記の遮断桿用補修具を用いた遮断桿の補修方法を提供する。すなわち、本発明は、遮断桿の桿材の破損部を外周側から覆うように粘着テープ等で補強材を仮止めして、この補強材の外周側にコア管を配置し、このコア管をその端部から螺旋状に切りほぐして、その外周側に拡径状態で装着されたゴム状弾性体からなるチューブを縮径させ、このチューブにより前記補強材を遮断桿の外周面に押圧固定する遮断桿の補修方法を提供する。
【００１２】
【発明の実施の形態】
以下、本発明に係る遮断桿用補修具の実施の形態について、図面を用いて説明する。図１は本発明の遮断桿用補強具で破損部を補修した遮断桿の側面図である。この遮断桿用補修具は、踏切等の遮断桿１が車両の衝突等により破損したとき、その破損部２を補強して応急修理するためのものであり、遮断桿１の破損部２の外周側を覆う補強材３と、この補強材３を遮断桿１の外周面に押圧固定するための半径方向に収縮性を有するチューブ４（固定手段）とを備えている。
【００１３】
遮断桿１は、例えば繊維強化プラスチック（ＦＲＰ）により１．５ｍ程度の輸送可能な長さに形成された桿材５を現地で継ぎ足してなる。桿材５は、それぞれ異なる径に形成され、その先端部の径が基端部よりもわずかに小さくされて、大径の桿材５の先端部に小径の桿材５の基端部を内嵌することにより、太い方から順に継ぎ足されている。
【００１４】
図１及び図２に示すように、補強材３は、遮断桿１の破損部２付近を十分に覆う長さで半径方向に収縮可能な断面略Ｃ形とされ、その開放部の反対側面の両端部に、半径方向に収縮しやすくするための切り込み６が形成されている。補強材３の径は、破損した桿材５よりも１ランク大径の桿材５と同じ径とされて、桿材５を覆ったときの桿材５との隙間が小さくされ、チューブ３で押圧したとき、補強材３が桿材５の外周面に密着しやすいようになっている。
【００１５】
補強材３は、別の桿材の廃材を所定の長さに切断し、その側面の一部を長さ方向に切断してなり、この補強材３を各ランクの径ごとに形成することにより、いずれの径の桿材５が破損したときにも対応可能とされる。なお、桿材の廃材の径が長さ方向に変化しているため、各補強材３の外径はそれよりも１ランク大径の補強材３の内径よりも小さく、補強材３を同心状にセットすることができる。
【００１６】
図３に示すように、チューブ４は、半径方向に収縮性を有するようにエチレンプロピレンゴム等のゴム状弾性体から形成され、例えばポリプロピレンからなるコア管７に拡径状態で装着されている。このチューブ４は、その長さが補強材３よりも長く、コア管７を補強材３の外周側に配置してチューブ４から引き抜くことにより、チューブ４が縮径して補強材３を桿材５の外周面に押圧固定するようになっている。
【００１７】
コア管７は、その長さがチューブ４よりも長く、その内径が最も大径の補強材３の外径よりも大きい筒状とされ、その周面に形成された螺旋状の切り筋８に沿って一端側から螺旋状に切りほぐし可能とされている。コア管７の一端側には、管内を通って他端側に導かれる引き部９が形成され、この引き部９を引いてコア管７を切りほぐすことにより、チューブ４からのコア管７の引き抜きを容易にしている。
【００１８】
次に、この遮断桿用補修具で遮断桿１を補修する手順について説明する。まず、遮断桿１が複雑に破断して破損部２が長さ方向に拡がっているときは、補強材３で破損部２を十分に覆うことができるように、破損部２付近を鋸等で切りそろえる。次いで、チューブ４を装着したコア管７を、その他端側（引き部９を引く方向）を遮断桿１の先端側に向けて、遮断桿１の破損部２よりも基端側の外周側に仮配置する。なお、遮断桿１が破損部２で完全に切り離されていないときは、コア管７を遮断桿１の先端から通せばよい。
【００１９】
遮断桿１の外周側に破損した桿材５よりも１ランク大径の補強材３を配置し、その長さ方向の中心付近で破損部２を覆って粘着テープ等で仮止めする。その後、図４に示すように、コア管７を補強材３の外周側に移動させて、その一端側が補強材３よりも基端側に位置するように片手で固定しながら引き部９を引き出して、コア管７をその一端側から螺旋状に切りほぐす。これにより、コア管７の外周側に拡径状態で装着されたチューブ４が、一端側から他端側に向かって徐々に縮径される。
【００２０】
コア管７の全体を切りほぐして引き抜いたとき、遮断桿１へのチューブ４の装着が完了して、補強材３が遮断桿１の外周面に押圧固定される。なお、コア管７の切りほぐした部分をときどきペンチ等で切断しながら引くことにより、その絡みつきを防止することができる。
【００２１】
遮断桿１の先端を上下左右に揺すって破損部２が折れ曲がらないことを確認し、必要に応じて遮断桿１の黒色と黄色の部分を所定の幅に保つように黄色のテープを遮断桿１に巻き付ける。また、必要に応じて黄色や赤色の反射シートを張り付けて、遮断桿用補修具の装着が完了する。
【００２２】
なお、桿材５の基端付近が破損して、桿材５同士の継ぎ目の段差により補強材３を装着することができないときには、図５に示すように、破損した桿材５の破損部２を厚さ調節用の短い補強材３ａで覆い、その外周側を破損した桿材５よりも２ランク大径の補強材３で覆って、チューブ４により遮断桿１の外周面に押圧固定するようにすればよい。
【００２３】
上記構成によれば、チューブ４の半径方向への収縮性を利用して、遮断桿１の破損部２付近の外周面に補強材３を押圧固定している。チューブ４は、仕上がりが均一で防水特性や耐候性に優れるため、破損部２を確実に補強して正常部分と変わらない強度を確保することができる。これにより、遮断桿１を一時的に補修するだけでなく、そのままの本使用が可能になる。また、チューブ４をゴム状弾性体で形成するため、カッターナイフ等でチューブ４を切り裂くことにより簡単に解体することができる。
【００２４】
チューブ４は、螺旋状に切りほぐし可能なコア管７に拡径状態で装着するため、その内側から簡単にコア管７を引き抜いて、補強材３の外周側にチューブ４を装着することができる。これにより、火気や熱源を用いることなくチューブ４を常温縮径させて、補強材３を遮断桿１に押圧固定することができ、特別な工具を用いることなく一人で短時間に遮断桿１を補修することができる。
【００２５】
補強材３は、破損した桿材５よりも１サイズ大径の遮断桿５と同じ径にして、桿材５の外周面との隙間を小さくするため、押圧時に補強材３を桿材５に確実に密着させて、補強部分の十分な強度を得ることができる。また、補強材３として遮断桿１の廃材をリサイクルするため、そのコストを安くすることができる。
【００２６】
各サイズの補強材３をチューブ４と共に１セットにして、一式のサイズのものを持っていくことにより、現地へ急行後、破損した桿材５の径に合う補強材３を選択して遮断桿１を補修することができる。各補強材３とチューブ４とを同心円状に配置して袋に収納することにより、遮断桿用補修具が軽くコンパクトになり持ち運びに便利である。
【００２７】
なお、本発明は、上記の実施の形態に限定されるものではなく、本発明の範囲内において、適宜変更を加えることができる。例えば、この遮断桿用補修具で補修する遮断桿１は、複数の桿材５を継ぎ足したものだけでなく、単体のものであってもよい。補強材３は、遮断桿１の廃材を利用する代わりに新たに成形してもよく、断面略Ｃ形の代わりに二つ割りのものにして半径方向に収縮可能としてもよい。この補強材３は、破損した桿材５よりも１ランク大径のものと同じ径にするのがよいが、必ずしもこれに限定されない。
【００２８】
チューブ４は、コア管７を螺旋状に切りほぐして縮径させる代わりに、コア管７に長さ方向の力を加えて引き抜くようにしてもよく、この場合、チューブ４の内周面及びコア管７の外周面にスライド部を形成しておけばよい。また、コア管７を用いずに、チューブ４を熱により収縮させて補強材３を押圧してもよく、人力で所定の位置に装着するようにしてもよい。
【００２９】
【発明の効果】
以上の説明から明らかな通り、本発明によると、遮断桿の破損部付近を覆う補強材と、半径方向に収縮性を有するチューブとを備え、そのチューブにより補強材を遮断桿の外周面に押圧固定するようにしている。これにより、遮断桿の破損部付近を確実に補強することができるため、破損した桿材の引き抜きが不要になるなど、破損した遮断桿を一人で短時間に補修することができる。
【００３０】
その結果、遮断桿の補修コストを安くすると共に、遮断桿が破損している時間を短くして交通の安全に寄与することができる。
【図面の簡単な説明】
【図１】本発明の遮断桿用補強具で破損部を補修した遮断桿の側面図
【図２】補強材の斜視図
【図３】コア管の外周側に装着したチューブの斜視図
【図４】コア管を切りほぐす様子を示す断面図
【図５】桿材の継ぎ目付近を補修した遮断桿の断面図
【符号の説明】
１　　遮断桿
２　　破損部
３　　補強材
４　　チューブ
５　　桿材
７　　コア管
【図１】
2004136850.tif 000003
【図２】
2004136850.tif 000004
【図３】
2004136850.tif 000005
【図４】
2004136850.tif 000006
【図５】
2004136850.tif 000007